(57)【要約】      （修正有）【課題】装置カバーの外観を損ねることなく、また操作者がケーブルの挟み込み防止作業を行うことなく、挟み込みの危険を排除するＭＲＩ装置を提供する。【解決手段】患者が入り得る空間を有する磁石と傾斜磁場コイルとから成る静磁界発生手段と患者に電磁波を印加する照射コイルを有する磁界発生装置と上記構成手段を覆うカバーで構成されたガントリーと、上記患者をガントリー内の撮像空間に送り込むテーブルと、上記患者から発せられるNMR信号を受信する受信コイルと、受信した信号を処理する処理装置を備える。上記カバーの外観を損なわないように上記カバーに収納可能なフックを1つもしくは複数個を有する。【選択図】図１
2010284187.tif 000002
【特許請求の範囲】
【請求項１】
患者が入り得る空間を有する磁石と傾斜磁場コイルとから成る静磁界発生手段と患者に電磁波を印加する照射コイルを有する磁界発生装置と上記構成手段を覆うカバーで構成されたガントリーと、上記患者をガントリー内の撮像空間に送り込むテーブルと、上記患者から発せられるNMR信号を受信する受信コイルと、受信した信号を処理する処理装置を備えて成る磁気共鳴イメージング装置において、上記カバーの外観を損なわないように上記カバーに収納可能なフックを１つもしくは複数個を有することを特徴とする磁気共鳴イメージング装置。
【請求項２】
前記収納可能なフックは、カバーに設けられたスライド式カバーにより、カバー内に収納されることを特徴とする請求項１に記載の磁気共鳴イメージング装置。
【請求項３】
前記スライド式カバーは、バネにより常に閉まる方向に力が働いており、スライド式カバーを開くときにバネ力に逆らった力を必要とすることを特徴とする請求項１または２に記載の磁気共鳴イメージング装置。
【請求項４】
前記スライド式カバーは、カバーの自重を利用し、バネ力などを必要とせず操作者による操作力のみで開閉することを特徴とする請求項１または２に記載の磁気共鳴イメージング装置。
【請求項５】
前記収納可能なフックは、カバーの凹み部分に埋まり、収納時のフック表面がカバーの外観の一部となっていることを特徴とする請求項１に記載の磁気共鳴イメージング装置。
【発明の詳細な説明】
【技術分野】
【０００１】
本発明は、磁気共鳴イメージング装置(以下、MRI装置という。)に係り、特に、患者がMRI装置の撮像空間に移動する際の安全性および操作性を向上させる技術に関する。
【背景技術】
【０００２】
MRI装置は、NMR現象を利用して患者中の所望の検査部位における核スピンの密度分布、緩和時間分布を計測対象から発せられる信号を計測して、断層像として画像表示するものである。さらに、計測対象である患者をこの計測可能領域に送り込むためのテーブルを備えている。
【０００３】
従来のMRI装置の磁界発生装置について説明する。磁界発生装置は患者が挿入される空間を有し、さらに、磁界発生装置の外周部を覆うようにカバーが設置されている。このカバーは、美観および絶縁などの安全面において必要なものである。また、磁界発生装置の隣には、患者を計測可能領域である空間に送り込むためのテーブルが設置されている。さらに、必要に応じて、患者が室外の操作者に異常を感じたときに知らせるための装置であるオペコールや、脈や呼吸と同期させた撮影を行うためのセンサーなどを患者もしくはその周囲に設置している。これらの装置およびセンサーは磁界発生装置の前面などとケーブルで接続されている。例えば、MRI装置に呼吸検出手段を配置した従来技術として、特許文献1がある。
【先行技術文献】
【特許文献】
【０００４】
【特許文献１】特開2006-158762号公報
【発明の概要】
【発明が解決しようとする課題】
【０００５】
しかし、このような従来のMRI装置において、テーブルに乗った患者を空間に送り込むためテーブルを移動させると上記オペコールやセンサーを必要とした場合、これらのケーブルを引きずるため、前記ケーブルを磁界発生装置とテーブルの隙間に挟む、または、テーブル移動部に巻き込む危険性があった。この挟み込みや巻き込みを回避するため、操作者がテーブル移動操作とケーブル挟み込み防止作業、さらに患者のケアを同時に行う必要があった。しかし、これらの動作を同時に行うのには、非常に困難であった。また、ケーブルを空中に保持する機構を常設するとカバーから突出しているため、外観を損ねるだけでなく保持する機構を破損する可能性もある。
【０００６】
そこで、本発明はこのような問題点に対処し、装置外観を損ねることなく、操作者がケーブルの挟み込み防止作業を行うことなく挟み込みの危険を排除することができるMRI装置を提供することを目的とする。
【課題を解決するための手段】
【０００７】
上記目的を達成するための本発明は、患者が入り得る空間を有する磁石と傾斜磁場コイルとから成る静磁界発生手段と患者に電磁波を印加する照射コイルを有する磁界発生装置と上記構成手段を覆うカバーで構成されたガントリーと、上記患者をガントリー内の撮像空間に送り込むテーブルと、上記患者から発せられるNMR信号を受信する受信コイルと、受信した信号を処理する処理装置を備えて成るMRI装置において、上記カバーの外観を損なわないように上記カバーに収納可能なフックを1つもしくは複数個を有することを特徴とするMRI装置が提供される。
【０００８】
また、前記収納可能なフックは、カバーに設けられたスライド式カバーにより、カバー内に収納されることを特徴とする磁気共鳴イメージング装置が提供される。
【０００９】
また、前記スライド式カバーは、バネにより常に閉まる方向に力が働いており、スライド式カバーを開くときにバネ力に逆らった力を必要とすることを特徴とする磁気共鳴イメージング装置が提供される。
【００１０】
また、前記スライド式カバーは、カバーの自重を利用し、バネ力などを必要とせず操作者による操作力のみで開閉することを特徴とする磁気共鳴イメージング装置が提供される。
【００１１】
また、前記収納可能なフックは、カバーの凹み部分に埋まり、収納時のフック表面がカバーの外観の一部となっていることを特徴とする磁気共鳴イメージング装置が提供される。
【発明の効果】
【００１２】
本発明は、装置外観を損ねることなく、操作者がケーブルの挟み込み防止作業を行うことなく挟み込みの危険を排除することができるMRI装置を提供できる効果を有する。
【図面の簡単な説明】
【００１３】
【図１】本発明を実施したMRI装置概観図。
【図２】磁界発生装置断面。
【図３】本発明の実施例1のスライド式カバーの詳細を示す図。
【図４】本発明の実施例2のスライド式カバーの詳細を示す図。
【図５】本発明の実施例3のスライド式カバーの詳細を示す図。
【図６】本発明の実施例4のスライド式カバーの詳細を示す図。
【図７】本発明の実施例4のスライド式カバーの詳細を示す図。
【発明を実施するための形態】
【００１４】
以下、本発明の実施例ついて図1〜図3を用い説明する。  
図1に本発明を実施したMRI装置概観図を示す。図2は磁界発生装置断面を示す。  
図1において本発明のMRI装置は、磁界発生装置5と受信装置6と信号処理装置7とテーブル8から構成され、NMR現象を利用して患者の検査部位の断層像を得るものである。なお上記磁界発生装置5は垂直型でも水平型でもよい。上記磁界発生装置5は患者が入り得る空間を有しており、この空間の領域内にNMR現象を利用できる計測空間が存在する。
【実施例１】
【００１５】
図2において、磁界発生装置5は最外部をカバー3で覆われている。このカバー3は美観および安全上の理由により設置されている。受信装置は核磁気共鳴により患者が発する信号を受信するものである。テーブル８は磁界発生装置に隣接した位置に配置され、磁界発生装置の外側で患者を乗せ、受信装置6を計測対象部に配置した状態にし、計測空間に搬送するためのものである。信号処理装置7は上記受信装置6で検出した信号を用いて画像再構成演算を行うものである。
【００１６】
また、MRI装置が動作している間、患者が室外にいる操作者へ異常もしくは何らかの理由で計測を中断して欲しい場合の連絡手段として、オペコールが存在する。このオペコールは磁界発生装置にケーブルで接続されており、通常患者が手で握っている。また、撮影方法によっては、患者の脈波や呼吸を計測する必要がある。これらのセンサーを患者に装着し、計測した信号はケーブルを介して磁界発生装置や信号処理装置へ伝達する。また、患者によっては、磁界発生装置外に設置された物と患者をつなげるためにその他のチューブもしくはケーブルの類を装着している場合もある。これらは、常に使用するわけではない。
【００１７】
ここで、上記オペコールやセンサーなどを患者に装着させてテーブルを計測空間に移動させると、テーブルと磁界発生装置の隙間にケーブル類を挟み込む可能性がある。
【００１８】
ここで、本発明の特徴は、図2および3が示すように、磁界発生装置を覆っているカバーに収納可能なフック1が施されており、上記オペコールやセンサーなどを装着した患者の場合のみ、フックを取り出すことを可能とした。このフックにケーブルを通すことにより、ケーブルを空中に浮かすことができ、テーブルと磁界発生装置との隙間に挟み込むことを防止することができる。また、本フックは収納可能なため、不必要なときはカバー3に収納できるため、外観を損ねることがない。また、収納時はカバーより突出していないため、破損する危険もない。
【００１９】
この収納式フックの実施例1では、図3に示すようにスライド式カバー2を装備している。フックを使用しないときは、外観を保つため常に閉じている状態でいる必要がある。この仕組みとして、スライド式カバーが常に閉まる方向に力が発生するように配置したコイルバネ2aを採用した。
【００２０】
コイルバネ2aの配置の第一案として、スライド式カバー2のスライド方向がコイルバネの軸方向となるように配置した場合、このコイルバネは、バネ長さが無負荷状態をL1とし、スライド式カバーが閉じた状態のバネ長さをL2とし、カバーが開いた状態のバネ長さをL3とした場合、L1≧L2>L3という関係になるように配置される。ただし、実施例1では、スライド式カバーが鉛直方向にスライドする方式である。
【実施例２】
【００２１】
実施例1では、スライド式カバーが鉛直方向にスライドする方式であったが、水平方向でも良い。図4は、スライド式カバーがスライドする方向が、水平方向の場合である。ただし、図4は、図2のAにおける矢印αの方向から見た図である。図4(a)はフック収納時の例であり、図4(b)はフック使用時の例である。
【実施例３】
【００２２】
実施例1及び実施例2では、スライド式カバー2のスライド方向がコイルバネの軸方向となるように配置したが、コイルバネ2aの配置の第二案として、スライド式カバー2のスライド方向とコイルバネの軸が直交するように配置しても良い。図5は、スライド式カバー2のスライド方向とコイルバネの軸が直交するように配置した例である。ただし、図5は、図2において、矢印βの方向から見た図であり、回転するバネを使用したものである。無負荷の状態のバネ先端の回転方向角度θをθ1、スライド式カバーが閉じた状態の角度をθ2、開いた状態の角度をθ3とした場合、θ1≦θ2<θ3という関係になるように配置される。ただし、角度は、コイルバネが圧縮される方向を正とする。このような関係になるように配置することでスライド式カバーは常に閉じるように動作している。
【実施例４】
【００２３】
実施例1では、スライド式カバーが鉛直方向にスライドする方式であったが、バネを用いていた。本実施例は、自重により鉛直方向にスライド式カバーがスライドする方式である。図6(a)は、スライド式カバーが閉まった状態、図6(b)は、開いた状態である。
【実施例５】
【００２４】
図7に示す実施例5は、カバーにフックの形状の凹みを設け、その凹み部にフックを収納する実施例である。カバー収納時、外観にさらされるフック表面がカバーの一部となるような形状とする。このカバーの一部となるためには、収納時のフック表面が周辺カバー同じ曲面で構成され、同一塗装されていることが望ましい。
【符号の説明】
【００２５】
1a  フック、1b  収納時のフック、2  スライドカバー、2a  収納時のスライドカバー、2b  スライドさせた状態のスライドカバー、3  カバー、3a  カバー穴、3b  カバー凹み、4  ケーブル、5、磁界発生装置、6  受信装置、7  信号処理装置、8  テーブル
【図１】
2010284187.tif 000003
【図２】
2010284187.tif 000004
【図３】
2010284187.tif 000005
【図４】
2010284187.tif 000006
【図５】
2010284187.tif 000007
【図６】
2010284187.tif 000008
【図７】
2010284187.tif 000009